(57)【特許請求の範囲】
【請求項１】
レインカバー本体（１００）の下部に開口部（４）を有し、両側面にマチ部（３）を有する袋体であり、レインカバー本体の背面上部に使用者がキャリーバッグのハンドルの幅にあわせて自分で切って調整するための切込み線（２）を設け、開口部近傍には、１本または複数本調整線（１）を設けたことを特徴とするキャリーバッグ用簡易レインカバー。
【請求項２】
切込み線および調整線にミシン目又は実線を設けたことを特徴とする請求項１記載のキャリーバッグ用簡易レインカバー。
【請求項３】
開口部に舌片部を設け、調整線を舌片部周縁と平行に設けたことを特徴とする請求項１または２記載のキャリーバッグ用簡易レインカバー。
【請求項４】
レインカバー本体（１００）の下部に開口部（４）を有し、両側面にマチ部（３）を有する袋体であり、レインカバー本体の背面上部に使用者がショッピングカーのハンドルの幅にあわせて自分で切って調整するための切込み線（２）を設け、開口部近傍には、１本または複数本調整線（１）を設けたことを特徴とするショッピングカー用簡易レインカバー。
【請求項５】
切込み線および調整線にミシン目又は実線を設けたことを特徴とする請求項４記載のショッピングカー用簡易レインカバー。
【請求項６】
開口部に舌片部を設け、調整線を舌片部周縁と平行に設けたことを特徴とする請求項４または５記載のショッピングカー用簡易レインカバー。
【請求項７】
レインカバー本体（１００）の下部に開口部（４）を有し、両側面にマチ部（３）を有する袋体であり、レインカバー本体の背面上部に使用者がスーツケースのハンドルの幅にあわせて自分で切って調整するための切込み線（２）を設け、開口部近傍には、１本または複数本調整線（１）を設けたことを特徴とするスーツケース用簡易レインカバー。
【請求項８】
切込み線および調整線にミシン目又は実線を設けたことを特徴とする請求項７記載のスーツケース用簡易レインカバー。
【請求項９】
開口部に舌片部を設け、調整線を舌片部周縁と平行に設けたことを特徴とする請求項７または８記載のスーツケース用簡易レインカバー。
【発明の詳細な説明】
【技術分野】
【０００１】
本発明は急な雨から護る使い捨て感覚のキャリーバッグ用簡易レインカバー，ショッピングカー用簡易レインカバー及びスーツケース用簡易レインカバーに関するものである。
【背景技術】
【０００２】
従来キャリーバッグレインカバーとして各バッグ専用、もしくは類似の厚手のカバーを持ち歩いて雨に備えている。
ショッピングカー用には専用のレインカバーは無い。
又、キャリーバッグに被せるだけのレインカバーは大、中、小とサイズ別に利用されている事は知られている（特許文献１参照）。
【先行技術文献】
【特許文献】
【０００３】
【特許文献１】実用新案登録第３１４８５９６号
【発明の概要】
【発明が解決しようとする課題】
【０００４】
以上に述べた従来のレインカバーは厚地なのでかさばるため、急な雨のために持ち歩くのは面倒であった。
使用後の乾燥やしまい忘れもあり手数がかかる。
現在、市場に出ているキャリーバッグはサイズが多様化し、バッグの高さやハンドルの幅も様々であり、ハンドルの位置は背面の上部部分にあるものが多数である。特許文献１では、取っ手部分の裂け目が上部にあり雨には弱く、ハンドル幅や高さ調整もしにくく、バッグ本体とキャスターの隙間から、雨の吹き込みや泥はねも心配である。
【課題を解決するための手段】
【０００５】
ポリエチレン等、薄く柔らかい、たたみ易い材質でポケットティシュ感覚の使い捨にするため、キャリーバッグのハンドル幅とバッグ本体の高さ調節が容易にできるよう裏面上部と表裏下部に破線を入れるか実線を印刷し、手、若しくはハサミで切って使用する。直線も可能であるが、キャリーバッグを引っ張って歩く時に備え、雨や泥はねから護るため、下部はキャスター間を両端から下方に向け、半円状にカット出来る形態にする。使い捨感覚のため基本５〜１０枚一組で購入し使用する。
【発明の効果】
【０００６】
上述したように本発明のキャリーバッグ用レインカバーは、大中小製造するとしても、自分で調整する事により、一つのサイズで多種類のキャリーバッグに使用可能である。
バッグを買い替えたとしてもカバーを一組買う事で残カバーでサイズ調整は自在であり無駄にする事もない。
現在市場にあるキャリーバッグの車輪は殆んど４輪で身体に平行に移動可能であるが、引きずって移動するキャリーバッグやショッピングカーにも曲線状の切り込みにより雨の吹き込みや泥除けに対応できる
使い捨てなので雨の後の乾燥も省略出来る。勿論、再利用も可能である。
小さくたためるのでかさばらず、毎日の買い物、国内外旅行、出張に場所をとらずに収納可能であるため持ち運びに便利。
本発明はハンドル幅やバッグ本体の長さ調整が効くのでキャリーバッグだけでなく、スーツケースやショッピングカー及び器材等多用途に使用可能である。
上品な薄い色の素材を使う事により、高級なバッグもおしゃれを失わずゴミ袋仕様とは思えない使用感を味わえる。
専用のレインカバーのようにしまい忘れて慌てる心配はない。
ゴミ袋と外見上区別するために基本的には色のあるカバーとする。
【図面の簡単な説明】
【０００７】
【図１】本発明の実施例１を示す斜視図
【図２】本発明の実施例２を示す斜視図
【図３】本発明の使用状態を示す斜視図
【図４】本発明の使用状態を示す斜視図
【図５】本発明の長さ調節を示す斜視図
【図６】Ａ−Ａ断面図
【図７】本発明の実施例３を示す正面図
【図８】本発明の実施例３のその他の舌片部示す正面図
【発明を実施するための形態】
【０００８】  以下、本発明の実施の形態を以下のとおり説明する。
【０００９】  レインカバー本体（１００）の下部に開口部（４）を有し、両側面にマチ部（３）を有する袋体であり、レインカバー本体の裏面上部に切り込み部（２）を設ける。この切り込み部は図１に実施例１として示すとおり、ハンドル幅と平行にミシン目を設けたり、図２に実施例２として示すとおり、ほぼ中央付近にハンドルの幅と平行に切込孔を設け、前記切込み孔の両端に連結するようにミシン目を設けたりした構造を示す。
切り込み作業が不可能の場合は、切り込み部に実線を印刷する事で、使用するハンドル幅にハサミで実線を切断する事が出来る。
【００１０】  開口部近傍には、１本または複数本調整線（１）を設ける。調整線とはミシン目または、実線を印刷したものを示す。また、ミシン目より雨水が染み込む事が想定される場合、裏側だけにミシン目を配置し、表面の長さ調整はハサミで表裏一緒にカットする。
調整線は直線もしくは、図７に実施例３として示すとおり、表面、裏面のみ中央付近が下方へ向かう曲線とすることで舌片部を形成する。この時、図８に示すとおり、曲線ではなく、略Ｖ字型のミシン目を設けることで、舌片部を形成してもよい。印刷の場合は全周に実線を配置する。
【００１１】  材質はポリエチレン等、薄く柔らかい、たたみ易い材質を使用する。
【００１２】
本発明は以上のような構造で、使用するときは、急な雨に対応出来るように小さく畳んでキャリーケースのポケットやハンドバッグ等手持ちのバッグや衣服のポケットに収納しておいたカバーを取出して使用する。
身体に平行に移動したり、斜めに引張って移動するのにも対応できる。
使い捨ても出来るし、数回の使用も可能である。
カバー本体の長さやハンドル幅の調節が可能であるため、キャリーバッグは勿論、スーツケースやショッピングカーや器材にも使用できる。
出張時、突然の雨に飛び込みのカバー販売店での購入でも、その場でバッグの長さ調整が出来、安心できる。
キャリーバッグ等サイズを変えて購入したとしても、残カバーの調整により一枚の同じサイズのカバーで無駄なく使用出来る。
ショッピングカーには専用のカバーは、発売されておらず、旅行用品売り場まで足を運んでいたが、ショッピングカーと共に並べて販売可能である。
【符号の説明】
【００１３】    １００本体、１調整線、２切込み線、３マチ部、４開口部、５舌片部
【図１】
0005937402.tif 000002
【図２】
0005937402.tif 000003
【図３】
0005937402.tif 000004
【図４】
0005937402.tif 000005
【図５】
0005937402.tif 000006
【図６】
0005937402.tif 000007
【図７】
0005937402.tif 000008
【図８】
0005937402.tif 000009